(57)【要約】【課題】足場を設置するスペースがない狭小敷地においても、大掛かりな仮設部材の設置や取り外しを不要としながら、効率的に外壁パネルを取り付けることを可能とした、外壁パネル取り付け金具と外壁パネルの取り付け方法を提供すること。【解決手段】外壁パネル取り付け金具１０，２０であり、梁３０，４０に接合される固定片１１，２１と、固定片１１，２１に対して直交してフレームに当接する当接片１２，２２Ａ，２２Ｂとを有し、当接片１２，２２Ａ，２２Ｂには、下方に向かって徐々に近接する二つのテーパー状の案内部１４，２４と、下方に落ち込んだ係合部１５，２５とを備えている案内係合溝１６，２６が、間隔を置いて左右に二つ開設され、外壁パネル５０の有する四つの隅角部のうち、下方の隅角部にある取り付けボルト５６、５７が一方の案内係合溝１６，２６に落とし込まれて係合するようになっている。【選択図】図７
2020165151.tif 000002
【特許請求の範囲】
【請求項１】
各階の梁に接合され、かつ、外壁パネルを構成するフレームに取り付けられている取り付けボルトが固定される、外壁パネル取り付け金具であって、
前記梁に接合される固定片と、該固定片に対して直交して前記フレームに当接する当接片と、を有し、
前記当接片には、下方に向かって徐々に近接する二つのテーパー状の案内部と、該二つの案内部の下端を繋ぐ下方に落ち込んだ係合部とを備えている案内係合溝が、間隔を置いて左右に二つ開設されており、
相互に隣接する前記外壁パネルの下方の隅角部にある取り付けボルトがそれぞれ、二つの前記案内係合溝に落とし込まれて係合するようになっていることを特徴とする、外壁パネル取り付け金具。
【請求項２】
前記当接片には、前記二つの案内係合溝の下方にそれぞれ、二つの第一ボルト孔が開設されており、
相互に隣接する前記外壁パネルの上方の隅角部にある第二ボルト孔がそれぞれ、二つの前記第一ボルト孔に位置合わせされ、ボルトが挿通されてボルト固定されるようになっていることを特徴とする、請求項１に記載の外壁パネル取り付け金具。
【請求項３】
前記固定片と前記当接片が、二つのフランジを介して一体とされていることを特徴とする、請求項１又は２に記載の外壁パネル取り付け金具。
【請求項４】
外壁パネル取り付け方法であって、
一階の土台梁の上面において、請求項１に記載の外壁パネル取り付け金具からなる第一外壁パネル取り付け金具が取り付けられ、一階と二階の間の階間梁の下面であって前記第一外壁パネル取り付け金具に対応する位置において、請求項２に記載の外壁パネル取り付け金具からなる第二外壁パネル取り付け金具が取り付けられており、
重機にて垂下された前記外壁パネルが、前記階間梁と前記土台梁により形成される建物躯体に沿ってスライドしながら設置位置に配設され、該外壁パネルの有する前記取り付けボルトが、前記第一外壁パネル取り付け金具の有する前記案内係合溝に係合され、その際に、前記外壁パネルの有する前記第二ボルト孔が、前記第二外壁パネル取り付け金具の有する前記第一ボルト孔に位置合わせされて連通孔を形成し、該連通孔にボルトを挿通してボルト固定することを特徴とする、外壁パネル取り付け方法。
【請求項５】
外壁パネル取り付け方法であって、
前記外壁パネルは、その下方の隅角部において上下にある二つの前記取り付けボルトを備えており、
二階以上の上階において、上方の階間梁と下方の階間梁があり、該上方の階間梁と該下方の階間梁のそれぞれの上面の相互に対応する位置において、請求項１に記載の外壁パネル取り付け金具からなる第一外壁パネル取り付け金具が取り付けられ、前記下方の階間梁の下面であって前記第一外壁パネル取り付け金具に対応する位置において、請求項２に記載の外壁パネル取り付け金具からなる第二外壁パネル取り付け金具が取り付けられており、
重機にて垂下された前記外壁パネルが、前記上方の階間梁と前記下方の階間梁により形成される建物躯体に沿ってスライドしながら設置位置に配設され、該外壁パネルの有する二つの前記取り付けボルトが、前記下方の階間梁に取り付けられている前記第一外壁パネル取り付け金具と前記第二外壁パネル取り付け金具の有するそれぞれの前記案内係合溝に係合され、その際に、前記外壁パネルの有する前記第二ボルト孔が、前記上方の階間梁に取り付けられている前記第二外壁パネル取り付け金具の有する前記第一ボルト孔に位置合わせされて連通孔を形成し、該連通孔にボルトを挿通してボルト固定することを特徴とする、外壁パネル取り付け方法。
【発明の詳細な説明】
【技術分野】
【０００１】
本発明は、外壁パネル取り付け金具と外壁パネル取り付け方法に関する。
【背景技術】
【０００２】
例えば都市部において鉄骨造の建物を施工するに当たり、施工対象の建物の外壁と隣地境界との間には、足場の組立てに十分なスペースがない場合が往々にしてある。あるいは、仮に足場を組むことができたとしても、足場と外壁設置位置との間に外壁パネルが入り込むスペースや、さらには、外壁パネルを設置するためのスペースがない場合がある。
【０００３】
通常、足場と外壁設置位置との間に十分なスペースがある場合は、クレーン等の重機にて吊り上げられた外壁パネルがこのスペースに落とし込まれ、足場上にいる作業員は、外壁パネルをその下方が外壁設置位置側に向くようにして斜め姿勢とし、外壁パネルの下端に取り付けられている取り付けボルトを、各階の外壁設置位置の下方に取り付けられている下方取り付け金具の有する溝に対してまず設置する。そして、この取り付けボルトと溝との係合部を支点として、外壁パネルの上方を外壁設置位置側に起こし、外壁パネルの上方を屋外側から室内側へ面外方向に回動させることにより、外壁パネルの上端に開設されているボルト孔を、外壁設置位置にある上方取り付け金具の有するボルト孔に位置合わせする。双方のボルト孔が位置合わせされることにより貫通孔が形成され、この貫通孔にボルトを挿通し、ナット締めすることにより、外壁パネルの取り付けが行われる。
【０００４】
すなわち、この施工では、外壁パネルの下端が固定されてここを支点として、外壁パネルの上方が屋外側から室内側へ円弧を描いて面外の動きで回動しながら設置されることから、外壁設置位置と足場との間には、ある程度余裕のあるスペースが必要になる。
【０００５】
そこで、上記するように足場を設置するスペースがない狭小敷地においても、外壁パネルを好適に施工することのできる建築方法が提案されている。具体的には、建物の躯体を構成する下階天井梁及び上階天井梁の長手方向に延びるように、それぞれ案内レールを設ける。一方、下階外壁パネル及び上階外壁パネルの上端部には、案内レールに引っ掛けられるハンガーを取り付ける。そして、それぞれのハンガーを各天井梁の案内レールに引っ掛けることにより、各外壁パネルは各天井梁に吊り下げられた状態となる。この吊り下げ状態においてハンガーを案内レールに沿ってスライドさせることにより、各外壁パネルを所定の取り付け位置に移動させる。この取り付け位置において、各外壁パネルを屋内側からボルト等により固定する建築方法である（例えば、特許文献１参照）。
【先行技術文献】
【特許文献】
【０００６】
【特許文献１】特開２００８−１２７９２７号公報
【発明の概要】
【発明が解決しようとする課題】
【０００７】
特許文献１に記載の建築方法によれば、足場を設置するスペースがない狭小敷地においても、外壁パネルを施工することができる。しかしながら、下階天井梁及び上階天井梁の長手方向に延びるようにそれぞれ案内レールを設け、下階外壁パネル及び上階外壁パネルの上端部にそれぞれ案内レールに引っ掛けられるハンガーを取り付け、それぞれのハンガーを各天井梁の案内レールに引っ掛けて各外壁パネルを吊り下げ、ハンガーを案内レールに沿ってスライドさせることから、仮設部材が大掛かりなものとなり、仮設部材の製作コストに関して課題がある。さらに、大掛かりな仮設部材の設置と外壁パネル設置後の仮設部材の取り外しには、多大な手間と時間を要するといった課題がある。
【０００８】
本発明は上記課題に鑑みてなされたものであり、足場を設置するスペースがない狭小敷地においても、大掛かりな仮設部材の設置や取り外しを不要としながら、効率的に外壁パネルを取り付けることを可能とした、外壁パネル取り付け金具と、この外壁パネル取り付け金具を用いる外壁パネル取り付け方法を提供することを目的としている。
【課題を解決するための手段】
【０００９】
前記目的を達成すべく、本発明による外壁パネル取り付け金具の一態様は、
各階の梁に接合され、かつ、外壁パネルを構成するフレームに取り付けられている取り付けボルトが固定される、外壁パネル取り付け金具であって、
前記梁に接合される固定片と、該固定片に対して直交して前記フレームに当接する当接片と、を有し、
前記当接片には、下方に向かって徐々に近接する二つのテーパー状の案内部と、該二つの案内部の下端を繋ぐ下方に落ち込んだ係合部とを備えている案内係合溝が、間隔を置いて左右に二つ開設されており、
相互に隣接する前記外壁パネルの下方の隅角部にある取り付けボルトがそれぞれ、二つの前記案内係合溝に落とし込まれて係合するようになっていることを特徴とする。
【００１０】
本態様によれば、例えば重機にて垂下された外壁パネルを外壁設置ラインに沿って面内方向（外壁の幅方向）に移動（スライド）させながら、外壁パネルの下方の隅角部に取り付けられている取り付けボルトを、外壁パネル取り付け金具の有する当接片に開設されている、案内係合溝の備えるテーパー状の案内部に沿って下方に案内しながら、案内部の下端に連続する例えば円弧状の係合部に落とし込むことにより、狭いスペースにおいても、外壁パネルの下端を、外壁パネル取り付け金具を介して梁に効率的に取り付けることができる。
【００１１】
建物のうち、外壁パネルの設置位置にある各階の梁（各階の床梁（階間梁を含む）や土台梁等）の所定位置に、複数の外壁パネル取り付け金具を取り付けておく。この外壁パネル取り付け金具の取り付けは、現場にて行われてもよいし、工場等において梁に予め取り付けておいてもよい。一方、外壁パネルは、上方及び下方のそれぞれの左右端にある四つの隅角部に取り付けボルトを有しており、各取り付けボルトは、対応する外壁パネル取り付け金具の有するそれぞれの案内係合溝に係合されることにより、外壁パネルは外壁パネル取り付け金具を介して梁等の建物躯体に取り付けられる。
【００１２】
ここで、一階の土台にその下端が取り付けられる外壁パネルは、下方の隅角部にある取り付けボルトが外壁パネル取り付け金具の案内係合溝に係合される。一方、二階以上の上階にその下端が取り付けられる外壁パネルにおいては、下方の左右の隅角部にそれぞれ、上下に二つで一組の取り付けボルトが設けられ得る（従って、上階の外壁パネルには、下方の左右の隅角部に計四つの取り付けボルトが設けられる）。この場合、外壁パネルの下方にある一組の取り付けボルトのうち、上方の取り付けボルトが本態様の外壁パネル取り付け金具の有する案内係合溝に係合される。そして、一組の取り付けボルトのうち、下方の取り付けボルトは、下階の外壁パネルを取り付けるための別途の外壁パネル取り付け金具の有する案内係合溝に係合される。この別途の外壁パネル取り付け金具は、以下で詳説する別途の態様の取り付け金具となる。
【００１３】
本態様の外壁パネル取り付け金具は、外壁パネルの有する四つの隅角部のうち、下方の左右端の隅角部にある取り付けボルトが取り付けられる取り付け金具である。外壁パネル取り付け金具の有する当接片において、二つの案内係合溝が間隔を置いて左右に二つ開設されていることにより、それぞれの案内係合溝には、隣接する二つの外壁パネルの一方の外壁パネルの右下隅角部の取り付けボルトと、他方の外壁パネルの左下隅角部の取り付けボルトがそれぞれ係合される。
【００１４】
固定片が接合される梁は、土台を形成する土台梁をはじめ、各階の床梁（階間梁を含む）の例えば上面（梁がＨ形鋼からなる場合は、上方フランジの上面）に対して、ボルト等により接合される。水平方向に延出する梁の例えば上面に載置される、水平方向に延出する固定片に対して、鉛直方向に建て込まれる外壁パネルに当接する当接片が直交する態様で立ち上っており、この立ち上がり姿勢の当接片の上端に臨むようにして二つの案内係合溝が開設されている。
【００１５】
本態様の外壁パネル取り付け金具は、特許文献１に記載されるように大掛かりな仮設部材ではなく、比較的シンプルな構成で寸法も小さな取り付け金具となり得る。さらに、外壁の幅方向である面内方向に外壁パネルがスライドされる過程で、外壁パネルの有する取り付けボルトが自動的に落とし込まれて係合される案内係合溝を有している。これらのことにより、製作コストを抑制でき、足場を不要としながら効率的に外壁パネルを取り付けることが可能になる。
【００１６】
また、本発明による外壁パネル取り付け金具の他の態様において、前記当接片には、前記二つの案内係合溝の下方にそれぞれ、二つの第一ボルト孔が開設されており、
相互に隣接する前記外壁パネルの上方の隅角部にある第二ボルト孔がそれぞれ、二つの前記第一ボルト孔に位置合わせされ、ボルトが挿通されてボルト固定されるようになっていることを特徴とする。
【００１７】
本態様によれば、上階の外壁パネルの取り付けに関しては、上記する態様の外壁パネル取り付け金具と同様の作用により効率的に取り付けることができ、さらに、下階の外壁パネルの取り付けに関しては、第一ボルト孔に対して下階の外壁パネルの有する第二ボルト孔が位置合わせされ、双方のボルト孔により形成される連通孔に固定ボルトが挿通されて固定されることにより、一つの外壁パネル取り付け金具により、上階と下階の外壁パネルの取り付けを実現することができる。
【００１８】
本態様の外壁パネル取り付け金具は、主として、上階の外壁パネルの有する四つの隅角部のうち、下方の左右端の隅角部にある取り付けボルトが取り付けられるとともに、下階の外壁パネルの有する四つの隅角部のうち、上方の左右端の隅角部にある第二ボルト孔が取り付け金具の有する第一ボルト孔と位置合わせされてボルト固定される取り付け金具である。
【００１９】
例えば、各階の階間梁の下面（梁がＨ形鋼からなる場合は、下方フランジの下面）に対して、本態様の外壁パネル取り付け金具の有する固定片がボルト接合される。上記するように、上階の外壁パネルが、下方の左右の隅角部に計四つの取り付けボルトを有する場合、本態様の外壁パネル取り付け金具の有する案内係合溝には、下方の左右の隅角部にある二つで一組の取り付けボルトのうち、下段にある取り付けボルトが係合される。
【００２０】
尚、各階の階間梁の上面（梁がＨ形鋼からなる場合は、上方フランジの上面）には、既に説明する別途の態様の外壁パネル取り付け金具が接合されており、この別途の態様の外壁パネル取り付け金具の案内係合溝に対して、上階の外壁パネルの下方の左右端の隅角部にある二つで一組の取り付けボルトのうち、上段にある取り付けボルトが係合される。すなわち、一つの階間梁の有する上方フランジと下方フランジに対して、このように二種類の外壁パネル取り付け金具が接続され、上階の外壁パネルの下方にある二つで一組の取り付けボルトは、階間梁の上方フランジと下方フランジの双方に接続されている異なる種類の外壁パネル取り付け金具に対して係合される。
【００２１】
このことにより、上階の外壁パネルは、その上方に設けられている第二ボルト孔が、さらに上階用の外壁パネル取り付け金具の有する第一ボルト孔に位置合わせされてボルト固定され、その下方にある二つで一組の取り付けボルトが、階間梁の上方フランジと下方フランジの双方に接続されている二種類の外壁パネル取り付け金具の案内係合溝にそれぞれ係合される。このように、上階の外壁パネルは、その下方の左右の隅角部がそれぞれ二つで一組の取り付けボルト（総計四つの取り付けボルト）にて二種類の外壁パネル取り付け金具（既述する態様と本態様の二種類の外壁パネル取り付け金具）に取り付けられることにより、外壁パネルを面外に偏心させることなく、強固に建物躯体に対して取り付けることができる。
【００２２】
また、本発明による外壁パネル取り付け金具の他の態様は、前記固定片と前記当接片が、二つのフランジを介して一体とされていることを特徴とする。
【００２３】
本態様によれば、固定片と当接片が二つのフランジを介して一体とされていることにより、固定片から立ち上がる（もしくは立ち下がる）当接片を、一対のフランジにて支持することができ、外壁パネル取り付け金具の剛性を高めることができる。このことにより、梁にボルト固定される固定片と、外壁パネルに当接する当接片を、フランジを介して強固に接合することができる。尚、固定片と、該固定片に対して直交する記当接片に対して、一対のフランジが溶接にて接合される形態であってもよいし、固定片と当接片、及び一対のフランジが鍛造や鋳造等により一体に成形されてもよい。
【００２４】
また、本発明による外壁パネル取り付け方法の一態様は、
一階の土台梁の上面において、前記外壁パネル取り付け金具からなる第一外壁パネル取り付け金具が取り付けられ、一階と二階の間の階間梁の下面であって前記第一外壁パネル取り付け金具に対応する位置において、前記外壁パネル取り付け金具からなる第二外壁パネル取り付け金具が取り付けられており、
重機にて垂下された前記外壁パネルが、前記階間梁と前記土台梁により形成される建物躯体に沿ってスライドしながら設置位置に配設され、該外壁パネルの有する前記取り付けボルトが、前記第一外壁パネル取り付け金具の有する前記案内係合溝に係合され、その際に、前記外壁パネルの有する前記第二ボルト孔が、前記第二外壁パネル取り付け金具の有する前記第一ボルト孔に位置合わせされて連通孔を形成し、該連通孔にボルトを挿通してボルト固定することを特徴とする。
【００２５】
本態様によれば、土台梁の上面に第一外壁パネル取り付け金具が取り付けられ、一階と二階の間の階間梁の下面に第二外壁パネル取り付け金具が取り付けられていることにより、一階の外壁パネルを、これらの梁を含む建物躯体に沿って外壁の幅方向にスライドさせながら、スムーズに土台梁や階間梁に係合及びボルト固定することができる。そのため、足場を設置するスペースがない狭小敷地においても、効率的に外壁パネルを取り付けることができる。尚、外壁パネル取り付け金具の取り付けは、現場にて行われてもよいし、工場等において梁に予め取り付けておいてもよい。
【００２６】
また、本発明による外壁パネル取り付け方法の他の態様は、
前記外壁パネルは、その下方の隅角部において上下にある二つの前記取り付けボルトを備えており、
二階以上の上階において、上方の階間梁と下方の階間梁があり、該上方の階間梁と該下方の階間梁のそれぞれの上面の相互に対応する位置において、前記外壁パネル取り付け金具からなる第一外壁パネル取り付け金具が取り付けられ、前記下方の階間梁の下面であって前記第一外壁パネル取り付け金具に対応する位置において、前記外壁パネル取り付け金具からなる第二外壁パネル取り付け金具が取り付けられており、
重機にて垂下された前記外壁パネルが、前記上方の階間梁と前記下方の階間梁により形成される建物躯体に沿ってスライドしながら設置位置に配設され、該外壁パネルの有する二つの前記取り付けボルトが、前記下方の階間梁に取り付けられている前記第一外壁パネル取り付け金具と前記第二外壁パネル取り付け金具の有するそれぞれの前記案内係合溝に係合され、その際に、前記外壁パネルの有する前記第二ボルト孔が、前記上方の階間梁に取り付けられている前記第二外壁パネル取り付け金具の有する前記第一ボルト孔に位置合わせされて連通孔を形成し、該連通孔にボルトを挿通してボルト固定することを特徴とする。
【００２７】
本態様によれば、二階以上の上階における下方の階間梁の上面及び下面にそれぞれ第一外壁パネル取り付け金具と第二外壁パネル取り付け金具が取り付けられ、上方の階間梁の下面に第二外壁パネル取り付け金具が取り付けられていることにより、二階以上の上階の外壁パネルを、これらの梁を含む建物躯体に沿って外壁の幅方向にスライドさせながら、スムーズに上下の階間梁に係合及びボルト固定することができる。
【発明の効果】
【００２８】
以上の説明から理解できるように、本発明の外壁パネル取り付け金具と外壁パネルの取り付け方法によれば、足場を設置するスペースがない狭小敷地においても、大掛かりな仮設部材の設置や取り外しを不要としながら、効率的に外壁パネルを取り付けることができる。
【図面の簡単な説明】
【００２９】
【図１】第１実施形態に係る外壁パネル取り付け金具の一例を背面斜め方向から見た斜視図である。
【図２】第１実施形態に係る外壁パネル取り付け金具の一例が梁の上方フランジに取り付けられている状態を示す斜視図である。
【図３】第２実施形態に係る外壁パネル取り付け金具の一例を正面斜め方向から見た斜視図である。
【図４】第２実施形態に係る外壁パネル取り付け金具の一例が梁の下方フランジに取り付けられている状態を示す斜視図である。
【図５】外壁パネルの一例を背面斜め方向から見た斜視図である。
【図６】実施形態に係る外壁パネル取り付け方法の一例を説明する図であって、土台梁の上方フランジに複数の第１実施形態に係る外壁パネル取り付け金具が取り付けられ、一階と二階の間の階間梁の下方フランジと上方フランジにそれぞれ、複数の第２実施形態に係る外壁パネル取り付け金具と複数の第１実施形態に係る外壁パネル取り付け金具が取り付けられ、一部の外壁パネルが取り付けられている状態を示す正面図である。
【図７】図６に続いて、実施形態に係る外壁パネル取り付け方法の一例を説明する図である。
【図８】第１実施形態に係る外壁パネル取り付け金具の案内係合溝に、外壁パネルの取り付けボルトが係合している状態を示す斜視図である。
【図９】第２実施形態に係る外壁パネル取り付け金具の案内係合溝に、外壁パネルの取り付けボルトが係合し、かつ、第一ボルト孔に外壁パネルの第二ボルト孔が位置決めされ、ボルト接合されている状態を示す斜視図である。
【発明を実施するための形態】
【００３０】
以下、各実施形態に係る外壁パネル取り付け金具の一例と、実施形態に係る外壁パネル取り付け方法の一例について、添付の図面を参照しながら説明する。尚、本明細書及び図面において、実質的に同一の構成要素については、同一の符号を付することにより重複した説明を省く場合がある。
【００３１】
［第１実施形態に係る外壁パネル取り付け金具］
はじめに、図１及び図２を参照して、第１実施形態に係る外壁パネル取り付け金具の一例について説明する。ここで、図１は、第１実施形態に係る外壁パネル取り付け金具の一例を背面方向から見た斜視図である。また、図２は、第１実施形態に係る外壁パネル取り付け金具の一例が梁の上方フランジに取り付けられている状態を示す斜視図である。
【００３２】
図１に示すように、第一外壁パネル取り付け金具１０（外壁パネル取り付け金具の一例）は、梁３０等（図２参照）に接合される固定片１１と、固定片１１に対して直交して外壁パネルフレーム５４（図５参照）に当接する当接片１２と、二つの対向するフランジ１３とを有し、これらが一体に成形されている。図１に示す当接片１２においては、外壁パネルフレーム５４と当接する面と反対側の背面が示されている。
【００３３】
当接片１２には、下方に向かって徐々に近接する二つのテーパー状の案内部１４と、二つの案内部１４の下端を繋ぐ円弧状もしくは半トラック状の係合部１５とを備えている案内係合溝１６が、間隔を置いて左右に二つ開設されている。
【００３４】
また、固定片１１には、梁３０等に開設されているボルト孔に位置決めされ、ボルトが挿通される複数の固定片ボルト孔１７が開設されている。
【００３５】
第一外壁パネル取り付け金具１０は、例えば鋳造や鍛造により一体に成形され、案内係合溝１６や固定片ボルト孔１７も、第一外壁パネル取り付け金具１０の成形と同時に成形されてもよいし、後加工として切断加工されることにより形成されてもよい。
【００３６】
図２に示すように、Ｈ形鋼により形成される梁３０の上方フランジ３１の所定位置には、二つのボルト孔（図示せず）が一組として複数組開設されており、上方フランジ３１の上面に固定片１１が載置され、一組のボルト孔に対して一組の固定片ボルト孔１７が位置決めされ、ボルトが挿通されてボルトナット６０により接合される。図２に示すように、梁３０の上方フランジ３１の上面に第一外壁パネル取り付け金具１０が固定された状態において、当接片１２は上方フランジ３１に直交する鉛直方向に延設した姿勢となる。ここで、第一外壁パネル取り付け金具１０が固定される梁３０には、基礎上に固定される土台梁や、一階と二階の間や、二階と三階の間等における上階の階間梁が含まれる。
【００３７】
図２に示すように、重機（図示せず）にて垂下された外壁パネル（図示せず）を、上下の梁（例えば、下方にある土台梁と、上方にあって一階と二階の間にある階間梁）に沿って、外壁の幅方向（面内方向）であるＸ１方向にスライドさせることにより、正面視矩形の外壁パネルの有する四つの隅角部のうち、下方の隅角部にある取り付けボルトは、一方の案内係合溝１６の案内部１４にＸ２方向に案内される。案内部１４にＸ２方向に案内された取り付けボルトが、さらに係合部１５にＸ３方向に落とし込まれることにより、外壁パネルの下方の隅角部は、第一外壁パネル取り付け金具１０を介して下方の梁３０に固定される。
【００３８】
［第２実施形態に係る外壁パネル取り付け金具］
次に、図３及び図４を参照して、第２実施形態に係る外壁パネル取り付け金具の一例について説明する。ここで、図３は、第２実施形態に係る外壁パネル取り付け金具の一例を正面斜め方向から見た斜視図である。また、図４は、第２実施形態に係る外壁パネル取り付け金具の一例が梁の下方フランジに取り付けられている状態を示す斜視図である。
【００３９】
図３に示すように、第二外壁パネル取り付け金具２０（外壁パネル取り付け金具の他例）は、一枚の鋼板が階段状に曲げ加工されることにより形成される、最上段にあって水平方向に延設する固定片２１と、最下段にあって鉛直方向に延設する当接片２２Ｂと、途中段にあって、略コの字状に曲げ加工された当接片２２Ａと、を有する。そして、当接片２２Ａが階段状の途中位置にて溶接接合されることにより、固定片２１と当接片２２Ａ，２２Ｂが一体とされ、さらに、これらの側方において一対のフランジ２３が溶接接合されることにより、第二外壁パネル取り付け金具２０が形成される。
【００４０】
上方にある当接片２２Ａには、下方に向かって徐々に近接する二つのテーパー状の案内部２４と、二つの案内部２４の下端を繋ぐ円弧状もしくは半トラック状の係合部２５とを備えている案内係合溝２６が、間隔を置いて左右に二つ開設されている。
【００４１】
一方、下方にある当接片２２Ｂのうち、二つの案内係合溝２６の直下にはそれぞれ、第一ボルト孔２８が開設されている。
【００４２】
図４に示すように、Ｈ形鋼により形成される梁４０の下方フランジ４２の所定位置には、二つのボルト孔（図示せず）が一組として複数組開設されており、下方フランジ４２の下面に固定片２１が当接され、一組のボルト孔に対して一組の固定片ボルト孔２７が位置決めされ、ボルトが挿通されてボルトナット６０により接合される。ここで、第二外壁パネル取り付け金具２０が固定される梁４０には、一階と二階の間や、二階と三階の間等における上階の階間梁が含まれる。
【００４３】
図２に示すように、重機（図示せず）にて垂下された外壁パネル（図示せず）を、上下の梁に沿ってＸ１方向にスライドさせ、第一外壁パネル取り付け金具１０の有する一方の案内係合溝１６に対して、外壁パネルの下方の隅角部にある取り付けボルトが係合された際には、図３に示すように、外壁パネルの有する第二ボルト５８（図５参照）が、第二外壁パネル取り付け金具２０の有する当接片２２Ｂに開設されている一方の第一ボルト孔２８に位置合わせされる。そして、相互に位置合わせされた第一ボルト孔２８と第二ボルト孔５８により形成される連通孔に対し、第二外壁パネル取り付け金具２０の背面側から固定ボルト５９（図５参照）を螺合することにより、外壁パネルの上方の隅角部が第二外壁パネル取り付け金具２０を介して梁４０に固定される。
【００４４】
［実施形態に係る外壁パネル取り付け方法］
次に、図５乃至図９を参照して、実施形態に係る外壁パネル取り付け方法の一例について説明する。ここで、図５は、外壁パネルの一例を背面方向から見た斜視図である。また、図６は、実施形態に係る外壁パネル取り付け方法の一例を説明する図であって、土台梁の上方フランジに複数の第１実施形態に係る外壁パネル取り付け金具が取り付けられ、一階と二階の間の階間梁の下方フランジと上方フランジにそれぞれ、複数の第２実施形態に係る外壁パネル取り付け金具と複数の第１実施形態に係る外壁パネル取り付け金具が取り付けられ、一部の外壁パネルが取り付けられている状態を示す正面図である。また、図７は、図６に続いて、実施形態に係る外壁パネルの取り付け方法の一例を説明する図である。また、図８は、第１実施形態に係る外壁パネル取り付け金具の案内係合溝に、外壁パネルの取り付けボルトが係合している状態を示す斜視図である。さらに、図９は、第２実施形態に係る外壁パネル取り付け金具の案内係合溝に、外壁パネルの取り付けボルトが係合し、かつ、第一ボルト孔に外壁パネルの第二ボルト孔が位置決めされ、ボルト接合されている状態を示す斜視図である。
【００４５】
まず、図５を参照して、施工される外壁パネルの一例について説明する。図示する外壁パネル５０は、井桁状の外壁パネルフレーム５４（フレームの一例）と、外壁パネルフレーム５４に対して縦下地材５４ａを介して固定されている外壁面材５５とを有する。
【００４６】
外壁パネルフレーム５４は、左右一対の縦桟５１と、上下一対の横桟５２と、一対の縦桟５１の間に配設されている中間縦桟５３とを有し、各部材が相互に溶接や釘留め、ビス留め等されることにより形成されている。
【００４７】
外壁面材５５は、サイディング材から形成されており、複数の縦柄目地５５ａと横柄目地５５ｂをその表面に備えている。このサイディング材としては、窯業系サイディング、アルミや鋼板からなる金属系サイディング、天然木を加工してなる木質系サイディング、塩化ビニル樹脂等からなる樹脂系サイディングなどが挙げられる。
【００４８】
縦桟５１の上端近傍には第二ボルト孔５８が開設され、上記するように、この第二ボルト孔５８に対して第二外壁パネル取り付け金具２０の有する第一ボルト孔２８（図３又は図４参照）が位置決めされて連通孔を形成した後、固定ボルト５９が連通孔に螺合されるようになっている。
【００４９】
一方、縦桟５１の下端近傍には、上下に二つの取り付けボルト５６，５７（上方取り付けボルトと下方取り付けボルト）が取り付けられている。図示するように、取り付けボルト５６，５７には、一対の円形フランジの間にボルトが配設されており、一方の円形フランジにおいてはこのボルトが貫通して、ボルトの先端が縦桟５１に螺合されるようになっている。一対の円形フランジの間のボルトが、第一外壁パネル取り付け金具１０や第二外壁パネル取り付け金具２０の有する案内係合溝１６、２６に係合され、その際に、一対の円形フランジは当接片１２，２２Ａを挟むことにより、外壁パネルががたつくことなく、第一外壁パネル取り付け金具１０等に固定される。
【００５０】
尚、図５に示す外壁パネル５０は、以下で詳説するように、二階以上の上階に取り付けられる外壁パネルである。一方、一階にて使用される外壁パネルは５０Ａ（図６又は図７参照）、以下で詳説するように、図５に示す外壁パネル５０から、上方取り付けボルト５６を取り除いた外壁パネルである。
【００５１】
次に、外壁パネル取り付け方法について説明する。図６に示すように、鉄筋コンクリート製の基礎３５の上に土台梁３０が固定され、土台梁３０の上方フランジ３１の所定位置には、複数の第一外壁パネル取り付け金具１０が外壁パネルの幅の離間を有して固定されている。図６には、一階の外壁パネル５０Ａと二階の外壁パネル５０が、第一外壁パネル取り付け金具１０及び第二外壁パネル取り付け金具２０を介して既に途中まで取り付けられている状態を示している。尚、一階の外壁パネル５０Ａは、図５を参照して説明した二階の外壁パネル５０から、既述するように上方取り付けボルト５６を取り除いた外壁パネルである。
【００５２】
一階の外壁パネル５０Ａは、土台梁３０に固定されている第一外壁パネル取り付け金具１０の有する案内係合溝１６に取り付けボルト５７が係合し、階間梁４０に固定されている第二外壁パネル取り付け金具２０の有する第一ボルト孔２８に第二ボルト孔５８が位置決めされて連通孔が形成され、固定ボルト５９が連通孔に螺合することにより固定されている。図８には、案内係合溝１６に取り付けボルト５７が係合している状態を明りょうに示している。
【００５３】
一方、二階の外壁パネルの下方の隅角部は、階間梁４０の上方フランジ４１に固定されている第一外壁パネル取り付け金具１０の有する案内係合溝１６に対して、上方取り付けボルト５６が係合されている。さらに、階間梁４０の下方フランジ４２に固定されている第二外壁パネル取り付け金具２０の有する案内係合溝２６に対して、下方取り付けボルト５７が係合されている。図９には、これらの固定態様を明りょうに示している。
【００５４】
尚、図６では、二階の外壁パネル５０の上端の固定態様の図示が省略されているが、図示する階間梁４０の上方には、例えばさらに別途の階間梁があり、この階間梁の下方フランジには、図示する階間梁４０と同様に第二外壁パネル取り付け金具２０が取り付けられており、この第二外壁パネル取り付け金具２０の有する第一ボルト孔２８に第二ボルト孔５８が位置決めされて連通孔が形成され、固定ボルト５９が連通孔に螺合することにより固定されている。
【００５５】
このように、二階の外壁パネル５０の下方の隅角部が、階間梁４０の上下にある第一外壁パネル取り付け金具１０と第二外壁パネル取り付け金具２０を介して二箇所で係合することにより、外壁パネル５０の下方が面外方向（図６の紙面に直交する方向）に傾動（偏心）することが解消され、かつ外壁パネル５０の下方を梁４０に強固に固定することができる。
【００５６】
次に、図７に示すように、重機（図示せず）にて垂下された外壁パネル５０Ａを、上下の土台梁３０と階間梁４０等に沿って、外壁の幅方向（面内方向）であるＸ１方向にスライドさせることにより、正面視矩形の外壁パネル５０Ａの有する四つの隅角部のうち、下方の隅角部にある取り付けボルト５７が、左右にある二つの第一外壁パネル取り付け金具１０の有するそれぞれの案内係合溝１６に係合される。そして、この係合の際に、上方の隅角部にある第二ボルト孔５８は、第二外壁パネル取り付け金具２０の有する第一ボルト孔２８に位置決めされる。そして、対応する第一ボルト孔２８と第二ボルト孔５８により形成される連通孔に固定ボルト５９を螺合することにより、外壁パネル５０Ａの上端が第二外壁パネル取り付け金具２０を介して階間梁４０に固定される。
【００５７】
二階の外壁パネル５０も、同様に外壁の幅方向にＸ１方向にスライドさせることにより、外壁パネル５０の下方にある上下二つの取り付けボルト５６，５７は、対応する案内係合溝１６，２６に係合され、上方にある第二ボルト孔５８は、第二外壁パネル取り付け金具２０の有する第一ボルト孔２８に位置決めされ、固定ボルト５９にて固定される。
【００５８】
このように、第一外壁パネル取り付け金具１０と第二外壁パネル取り付け金具２０を用いた外壁パネルの取り付け方法によれば、上下の梁３０，４０に対して外壁の幅方向から外壁パネル５０，５０Ａをスライドさせながら設置することができる。そのため、足場を設置するスペースがない狭小敷地においても、効率的に外壁パネルを取り付けることができる。
【００５９】
また、各図からも明らかなように、第一外壁パネル取り付け金具１０と第二外壁パネル取り付け金具２０は、比較的シンプルな構成であり、かつその寸法も大きなものとはならないことから、製作コストも安価になる。
【００６０】
さらに、第一外壁パネル取り付け金具１０と第二外壁パネル取り付け金具２０は、仮設部材であると同時に本設部材でもあることから、外壁パネル設置後にその取り外しは不要である。
【００６１】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００６２】
１０：第一外壁パネル取り付け金具（外壁パネル取り付け金具）、１１：固定片、１２：当接片、１３：フランジ、１４：案内部、１５：係合部、１６：案内係合溝、１７：固定片ボルト孔、２０：第二外壁パネル取り付け金具（外壁パネル取り付け金具）、２１：固定片、２２Ａ，２２Ｂ：当接片、２３：フランジ、２４：案内部、２５：係合部、２６：案内係合溝、２７：固定片ボルト孔、２８：第一ボルト孔、３０：土台梁（梁）、３１：上方フランジ、３５：基礎、４０：階間梁（梁）、４１：上方フランジ、４２：下方フランジ、５０，５０Ａ：外壁パネル、５１：縦桟、５２：横桟、５３：中間縦桟、５４：外壁パネルフレーム（フレーム）、５４ａ：縦下地材、５５：外壁面材、５５ａ：縦柄目地、５５ｂ：横柄目地、５６：上方取り付けボルト（取り付けボルト）、５７：下方取り付けボルト（取り付けボルト）、５８：第二ボルト孔、５９：固定ボルト、６０：ボルトナット
【図１】
2020165151.tif 000003
【図２】
2020165151.tif 000004
【図３】
2020165151.tif 000005
【図４】
2020165151.tif 000006
【図５】
2020165151.tif 000007
【図６】
2020165151.tif 000008
【図７】
2020165151.tif 000009
【図８】
2020165151.tif 000010
【図９】
2020165151.tif 000011